(57)【特許請求の範囲】
【請求項１】
長手方向、幅方向、及び厚み方向を有する吸収体を備える吸収性物品であって、
前記吸収体は、前記幅方向において、いずれも前記長手方向に延在する、中央部とその両側の一対の両側部とに区画され、
前記吸収体は、
前記中央部において、中央部吸収コア層を有し、
前記一対の両側部のそれぞれにおいて、７０ｍｍ以上の平均繊維長を有する長繊維及び高吸収性ポリマーを含むウェブを含む衝撃吸収材層と、前記衝撃吸収材層と前記吸収体の厚み方向に重複する側部吸収コア層とを有し、
前記側部吸収コア層の坪量が、前記中央部吸収コア層の坪量よりも少ない、ことを特徴とする吸収性物品。
【請求項２】
長手方向、幅方向、及び厚み方向を有する吸収体を備える吸収性物品であって、
前記吸収体は、前記幅方向において、いずれも前記長手方向に延在する、中央部とその両側の一対の両側部とに区画され、
前記吸収体は、
前記中央部において、中央部吸収コア層を有し、
前記一対の両側部のそれぞれにおいて、７０ｍｍ以上の平均繊維長を有する長繊維及び高吸収性ポリマーを含むウェブを含む衝撃吸収材層と、前記衝撃吸収材層と前記吸収体の厚み方向に重複する側部吸収コア層とを有し、
前記吸収体において、前記両側部の厚みが前記中央部の厚みよりも厚い、ことを特徴とする吸収性物品。
【請求項３】
前記吸収体は、前記一対の両側部のそれぞれにおいて、前記衝撃吸収材層よりも肌面側の部分に前記側部吸収コア層を有する、請求項１又は２に記載の吸収性物品。
【請求項４】
前記中央部吸収コア層と、前記側部吸収コア層とが、前記幅方向に連続的に存在している、請求項１〜３のいずれか１項に記載の吸収性物品。
【請求項５】
前記吸収体は、前記中央部において、補助衝撃吸収材層をさらに有し、
前記補助衝撃吸収材層は、７０ｍｍ以上の平均繊維長を有する長繊維を含むウェブを含む、請求項１〜４のいずれか１項に記載の吸収性物品。
【請求項６】
前記補助衝撃吸収材層が、前記中央部吸収コア層に接着されている、請求項５に記載の吸収性物品。
【請求項７】
前記補助衝撃吸収材層の前記長繊維が、開繊されたトウの連続フィラメントからなる、請求項５又は６に記載の吸収性物品。
【請求項８】
前記衝撃吸収材層の前記ウェブの坪量が、前記補助衝撃吸収材層の前記ウェブの坪量よりも多い、請求項５〜７のいずれか一項に記載の吸収性物品。
【請求項９】
前記衝撃吸収材層の前記長繊維が、開繊されたトウの連続フィラメントからなる、請求項１〜８のいずれか一項に記載の吸収性物品。
【請求項１０】
前記吸収体が、使用状態で、前記両側部と前記中央部との間の境界部分に沿って折れて、略舟型形状を有する、請求項１〜９のいずれか一項に記載の吸収性物品。
【請求項１１】
前記吸収体における中央部と両側部とは、一体としてコアラップに包まれている、請求項１〜１０のいずれか一項に記載の吸収性物品。
【発明の詳細な説明】
【技術分野】
【０００１】
本開示は、長繊維を含むウェブを有する吸収体を含む吸収性物品に関する。
【背景技術】
【０００２】
近年、着用者の股間の動きによる影響を受けやすい吸収体の両側端部に嵩高部材を備える吸収性物品が知られている。また、吸収性コアを連続フィラメントと高吸収性ポリマーとを含むように構成した吸収性材料も知られている。
【０００３】
例えば、特許文献１には、表面シートと裏面シートとの間に体液吸収体が備えた吸収性物品であって、前記体液吸収体の端縁より外方に位置する前記表面シートと前記裏面シートとの間に嵩高な部材が介在され、この嵩高部材がトウからなる繊維集合体で形成されていることを特徴とする吸収性物品が開示されている。
【０００４】
また、特許文献２には、吸収性物品に使用するための吸収性コアであって、該コアが、実質的に連続的な且つ同一の広がりを有する複数のフィラメントを含み、該フィラメントのうちの少なくもいくつかのフィラメントが、その表面上に配置された層であって、該表面上の所定の場所で液状高吸収性ポリマーから形成された高吸収性材料を含む層を有することを特徴とする、吸収性物品に使用するための吸収性コアが開示されている。
【先行技術文献】
【特許文献】
【０００５】
【特許文献１】特許第４２７９７３７号公報
【特許文献２】特表２００５−５３６２９１号公報
【発明の概要】
【発明が解決しようとする課題】
【０００６】
特許文献１に開示される吸収性物品において、上記構成の嵩高部材は、高湿度空気をいったん吸収し、さらに着用者から圧力を受けるなどして潰れると、該高湿度空気が表面シートを通して排気されるので、着用者の不快感を低減できる。しかしながら、特許文献１に開示される構成では、体液吸収体の端縁より外方に流出した液体を保持する手段がなく、該吸収性物品は横漏れする虞がある。
そこで、特許文献２に開示されるように、嵩高部材を構成する長繊維（トウ）を、液状高吸収性ポリマーから形成された高吸収性材料を含む層を有する構成とすることが提案される。しかしながら、液状高吸収性ポリマーは吸水するのに比較的時間を要し、該構成を採用しても、依然として吸収性物品は横漏れする虞がある。
【０００７】
したがって、本発明の技術的課題は、長繊維を含むウェブを有する吸収体を備えつつも、横漏れする虞が低減された吸収性物品を提供することである。
【課題を解決するための手段】
【０００８】
前記課題を解決するため、本発明の吸収性物品は、
長手方向、幅方向、及び厚み方向を有する吸収体を備える吸収性物品であって、
前記吸収体は、前記幅方向において、いずれも前記長手方向に延在する、中央部とその両側の一対の両側部とに区画され、
前記吸収体は、
前記中央部において、中央部吸収コア層を有し、
前記一対の両側部のそれぞれにおいて、７０ｍｍ以上の平均繊維長を有する長繊維を含むウェブ及び高吸収性ポリマーを含む衝撃吸収材層と、前記衝撃吸収材層と前記吸収体の厚み方向に重複する側部吸収コア層とを有する、ことを特徴とする。
【発明の効果】
【０００９】
本発明の吸収性物品によれば、長繊維を含むウェブを有する吸収体を備えつつも、横漏れする虞が低減される。
【図面の簡単な説明】
【００１０】
【図１】図１は、本発明の実施形態に従う使い捨ておむつの展開図である。
【図２】図２は、吸収体の平面図である。
【図３】図３は、図２に示したＩＩＩ−ＩＩＩ’線断面の概略図である。
【図４】図４は、吸収体７が変形誘導されている状態の模式図である。
【発明を実施するための形態】
【００１１】
本発明は、以下の態様に関する。
（態様１）
長手方向、幅方向、及び厚み方向を有する吸収体を備える吸収性物品であって、
前記吸収体は、前記幅方向において、いずれも前記長手方向に延在する、中央部とその両側の一対の両側部とに区画され、
前記吸収体は、
前記中央部において、中央部吸収コア層を有し、
前記一対の両側部のそれぞれにおいて、７０ｍｍ以上の平均繊維長を有する長繊維及び高吸収性ポリマーを含むウェブを含む衝撃吸収材層と、前記衝撃吸収材層と前記吸収体の厚み方向に重複する側部吸収コア層とを有する、ことを特徴とする吸収性物品。
態様１によれば、吸収体が、その両側部において、長繊維及び高吸収性ポリマーを含むウェブを含む衝撃吸収材層を有することにより、前記両側部の柔軟性を高め、より着用者に密着し易くなるので、フィット性および吸水・保水性が高まる。また、吸収体の中央部の吸収コア層と両側部の衝撃吸収材層との境界部分において、剛性差や厚み差ができ易く、着用者が吸収性物品を着用している際に、吸収体の両側部から中央部に向かう応力を受けた場合、前記境界部分が折れ起点となり、吸収体が境界部分に沿う形で折れて、着用者の排泄物等を受容するのに適する形状に変形し易いので、排泄物等が着用者の肌に接触する機会を低減できると共に、剛性差や厚み差が相対的に少ない中央部の吸収コア層が変形して崩壊することを抑制できる。さらに、吸収体が、その両側部において、衝撃吸収材層と吸収体の厚み方向に重複する吸収コア層を有するので、吸収性物品の幅方向両側部における吸水力を補強し、吸収性物品のリウェットを減少させると共に、吸収体が前記境界部分に沿う形で折れ曲がると、吸収体の両側部の吸収コア層も連動して折れ曲がるので、液体の横漏れや装着時のかぶれを抑制できる。
【００１２】
（態様２）
前記吸収体は、前記一対の両側部のそれぞれにおいて、前記衝撃吸収材層よりも肌面側の部分に前記側部吸収コア層を有する、態様１に記載の吸収性物品。
態様２によれば、吸収体が、一対の両側部のそれぞれにおいて、衝撃吸収材層よりも肌面側の部分に吸収コア層を有することにより、吸収性物品の肌面側の幅方向両側部における吸水力を補強するので、吸収性物品の肌面側のリウェットを減少させ、装着時のかぶれをさらに抑制できる。また、衝撃吸収材層に含まれる高吸収性ポリマーが肌面側に流出することを抑制できるので、吸収性物品の肌面において高吸収性ポリマーの凹凸感を着用者が感取する不快感を軽減させることができる。
【００１３】
（態様３）
前記中央部吸収コア層と、前記側部吸収コア層とが、前記幅方向に連続的に存在している、態様１又は２に記載の吸収性物品。
態様３によれば、前記中央部における吸収コア層と、前記一対の両側部のそれぞれにおける吸収コア層とが、前記吸収体の幅方向において、連続的に存在しているので、着用者が吸収性物品を着用している際に、吸収体の両側部から中央部に向かう応力を受けた場合、該両側部と中央部との境界部分が折れ起点となり、吸収体が、境界部分に沿って変形されても、一対の両側部のそれぞれにおける吸収コア層は、中央部における吸収コア層と一体的な形状を保ちつつ変形し、液体の横漏れや装着時のかぶれを抑制できる。
【００１４】
（態様４）
前記吸収体は、前記中央部において、補助衝撃吸収材層をさらに有し、
前記補助衝撃吸収材層は、７０ｍｍ以上の平均繊維長を有する長繊維を含むウェブを含む、態様１〜３のいずれか１項に記載の吸収性物品。
態様４によれば、吸収性物品が、吸収体の中央部に補助衝撃吸収材層を備えるので、吸収性物品を着用する際に、吸収体の両側部から中央部に向かう応力を受けたとき、吸収体の両側部に存在する衝撃吸収材層だけでなく、中央部においても補助衝撃吸収材層が応力を吸収するので、補助衝撃吸収材層がない場合よりも、応力が吸収体中央部分に存在する吸収コア層に波及して生ずる吸収コア層の崩壊を抑制できる。したがって、吸収体の吸収量を確保し、また吸収性物品の装着感をより一層向上させることができる。
【００１５】
（態様５）
前記補助衝撃吸収材層が、前記中央部吸収コア層に接着されている、態様４に記載の吸収性物品。
態様５によれば、長繊維ウェブを含み、一体的な形状の保持能力に優れている補助衝撃吸収材層が、吸収コア層に接着されているので、吸収コア層が液体を吸収して膨潤した後においても、補助衝撃吸収材層が吸収体を支持してその崩壊を抑制できるので、吸収性物品の装着感を向上させることができる。
【００１６】
（態様６）
前記補助衝撃吸収材層の前記長繊維が、開繊されたトウの連続フィラメントからなる、態様４又は５に記載の吸収性物品。
態様６によれば、補助衝撃吸収材層の長繊維が開繊されたトウの連続フィラメントからなることにより、その長いフィラメントが絡んだウェブは柔軟であり、且つ、応力がなくなると変形から回復する能力が高いので、衝撃を吸収する材料として優れている。また、吸収性物品が圧縮された状態でパッケージに包装されても、パッケージから取り出した際に補助衝撃吸収材層の嵩が容易且つ瞬時に回復する効果がある。また、補助衝撃吸収材層が開繊されたトウの連続フィラメントからなると、補助衝撃吸収材層の一部に到達した体液等の液体が、連続フィラメントの配向する方向に沿って容易に拡散し、より広範囲に亘って吸収コア層に移行することができるので、吸収体の液体吸収量を増加させることができる。
【００１７】
（態様７）
前記衝撃吸収材層の前記ウェブの坪量が、前記補助衝撃吸収材層の前記ウェブの坪量よりも多い、態様４〜６のいずれか一項に記載の吸収性物品。
態様７によれば、吸収体の両側部のウェブのそれぞれの坪量を、中央部のウェブの坪量よりも多くすることにより、中央部の補助衝撃吸収材層のウェブの坪量が少なくても、両側部の衝撃吸収材層と中央部の補助衝撃吸収材層とが協働して、吸収体の幅方向における衝撃吸収機能を発揮できる。また、中央部のウェブの坪量を、吸収体の両側部のウェブのそれぞれの坪量よりも少なくすることで、中央部のウェブと両側部のウェブとで坪量に差がない場合と比べて、吸収体の両側部よりも吸収体の中央部の厚み方向の薄型化を実現し易く、吸収性物品の装着感を向上させることができる。
【００１８】
（態様８）
前記側部吸収コア層の坪量が、前記中央部吸収コア層の坪量よりも少ない、態様１〜７のいずれか一項に記載の吸収性物品。
態様８によれば、吸収体の両側部の吸収コア層のそれぞれの坪量が、中央部の吸収コア層の坪量よりも少ないことにより、吸収体の両側部から中央部に向かう応力を受けたとき、両側部の吸収コア層と中央部の吸収コア層とで坪量に差がない場合と比べて、吸収体の両側部に存在する衝撃吸収材層の変形を阻害しにくいので、吸収体の両側部に存在する衝撃吸収材層による応力を吸収する機能を確保し易い。
【００１９】
（態様９）
前記吸収体において、前記両側部の厚みが前記中央部の厚みよりも厚い、態様１〜８のいずれか一項に記載の吸収性物品。
態様９によれば、吸収体の両側部と中央部との境界部分において厚み差があると、着用者が吸収性物品を着用している際に、吸収体の両側部から中央部に向かう応力を受けた場合、当該境界部分が折れ起点となり、吸収体が、境界部分に沿って、略舟型、すなわち、着用者の排泄物等を受容するのに適する形状に変形し易いので、排泄物等が着用者の肌に接触する機会をより一層抑制できる。
【００２０】
（態様１０）
前記衝撃吸収材層の前記長繊維が、開繊されたトウの連続フィラメントからなる、態様１〜９のいずれか一項に記載の吸収性物品。
態様１０によれば、衝撃吸収材層の長繊維が開繊されたトウの連続フィラメントからなることにより、その長いフィラメントが絡んだウェブは柔軟であり、且つ、応力を吸収する能力が高いため、柔軟性とフィット性とが高まり、吸収性物品の装着時の快適性が向上する。また、衝撃吸収材層の開繊されたトウの連続フィラメントが、応力がなくなると変形から回復する能力が高いので、衝撃を吸収する材料として優れている。また、吸収性物品が圧縮された状態でパッケージに包装されても、パッケージから取り出した際に衝撃吸収材層の嵩が容易且つ瞬時に回復する効果がある。また、衝撃吸収材層が開繊されたトウの連続フィラメントからなるので、衝撃吸収材層に到達した体液等の液体が、フィラメントの配向する方向に沿って移動し、衝撃吸収材層においてより広範囲に亘って存在する高吸収性ポリマーと接触する機会が増えるので、吸収体の液体吸収量を増加させることができる。
【００２１】
（態様１１）
前記吸収体が、使用状態で、前記両側部と前記中央部との間の境界部分に沿って折れて、略舟型形状を有する、態様１〜１０のいずれか一項に記載の吸収性物品。
態様１１によれば、吸収体が、使用状態で、両側部と中央部との間の境界部分に沿って折れて、略舟型形状を有することにより、吸収性物品がより着用者に密着し易くなるので、フィット性が高まると共に、吸収体の幅方向中央部が着用者の排泄物等を多量に受容するのに適する形状であるので、排泄物等が着用者の肌に接触する機会をより一層抑制でき、吸収性物品の着用感が向上する。
【００２２】
（態様１２）
前記吸収体における中央部と両側部とは、一体としてコアラップに包まれている、態様１〜１１のいずれか一項に記載の吸収性物品。
態様１２によれば、吸収体の中央部と両側部とが、一体としてコアラップに包まれているので、少なくとも中央部に存在する中央部吸収コア層と、両側部に存在する衝撃吸収材層及び側部吸収コア層とが一つの塊として吸収要素となり、中央部と両側部との間が分断し難く、吸収性能が阻害されにくい。
【００２３】
以下、本発明の実施態様の吸収性物品を、図面を参照して詳細に説明する。
【００２４】
なお、本明細書においては、特に断りのない限り、「展開した状態で水平面上に置いた対象物（例えば、吸収性物品、吸収体等）を、その水平面に対して垂直な方向の上方側から対象物の厚み方向に見ること」を、単に「平面視」という。
【００２５】
そして、本明細書において、「長手方向Ｌ」は、「平面視における対象物の長手方向」を指し、「幅方向Ｗ」は、「平面視における対象物の幅方向（短手方向）」を指し、「厚み方向Ｔ」は、「展開した状態で水平面上に置いた対象物の厚み方向」を指し、これらの長手方向Ｌ、幅方向Ｗ及び厚み方向Ｔは、それぞれ互いに直交する関係にある。
【００２６】
さらに、本明細書では、「縦長の対象物（例えば、吸収性物品等）の幅方向Ｗにおいて、長手方向Ｌに延びる幅方向中央軸線ＣＬに相対的に近い側」を「幅方向における内方側」といい、「前記縦長の対象物の幅方向Ｗにおいて、前記幅方向中央軸線ＣＬから相対的に遠い側」を「幅方向における外方側」という。また、前記縦長の対象物の長手方向Ｌにおいて、幅方向Ｗに延びる長手方向中央軸線を、長手方向中央軸線ＣＷという。
【００２７】
また、本明細書では、「吸収性物品の厚み方向Ｔにおいて、同一シートの対向する２つの面において、着用者の肌面に相対的に近い側の面」を「肌側面」といい、「吸収性物品の厚み方向Ｔにおいて、同一シートの対向する２つの面において、着用者の肌面に相対的に遠い側の面」を「着衣側面」という。
【００２８】
（実施形態）
図１は、本発明の実施形態に従うテープ型使い捨ておむつの展開図である。図２は、本発明の実施形態に従う、使い捨ておむつが備える吸収体の平面図である。図３は、図２に示したＩＩＩ−ＩＩＩ’線で切断した概略横断面図である。
【００２９】
本発明の実施形態に従う使い捨ておむつ１は、図１に示す展開図において、長手方向Ｌ、幅方向Ｗ及び厚み方向Ｔを有している。
【００３０】
使い捨ておむつ１は、図１の紙面の表面側に液透過性のトップシート３を有し、図１の紙面の裏面に図１では見えないが液不透過性のバックシート５を有し、これらのトップシート３及びバックシート５との間に配設された吸収体７を有する。
【００３１】
さらに、使い捨ておむつ１は、疎水性や撥水性を有するサイドシート９、９を有している。サイドシート９、９は、それぞれにおむつの長手方向に延在するレッグギャザー用弾性部材１３と立体ギャザー用弾性部材１４が接合されて、着用時に一対のレッグギャザーと、一対の立体ギャザー１０とを形成する。
【００３２】
図１において、図の下方の長さ方向Ｌの一端側が使用者の腹を覆う腹側、図の上方の長さ方向Ｌの他端側が使用者の背中（臀部）を覆う背側である。この使い捨ておむつ１の背側にはテープファスナ１１が設けられており、おむつ１は着用時にテープファスナ１１を用いて使用者に装着される。この使い捨ておむつ１はテープタイプの使い捨ておむつと言われる。
【００３３】
しかし、本発明にかかる吸収性物品は、上記テープタイプの使い捨ておむつに限られず、着用前からパンツ型の形状を有する、いわゆるパンツタイプの使い捨ておむつであってもよい。
【００３４】
（トップシート及びバックシート）
トップシート３は、使用者からの尿等の液状の排泄物を素早く吸収あるいは透過させて吸収体７に向けて移行させるもので、吸収体７における使用者の肌と対向する面側に配設されている。
【００３５】
この実施の形態においては、前記トップシート３は、使い捨ておむつ１の長さ方向Ｌに沿う方向に長尺状に形成されている。
【００３６】
トップシート３は、例えば不織布、織布、液透過孔が形成された合成樹脂フィルム、網目を有するネット状シート等により形成されるが、このうち、不織布が好ましい。
【００３７】
バックシート５は、使い捨ておむつ１の外方側に設けられていて、排出された排泄物の透過を防止して外部に漏れ出るのを防止するものである。
このバックシート５は、吸収体７を間に挟んだ状態でトップシート３に接合されている。接合手段としては例えばホットメルト型接着剤による接着、ヒートエンボス処理による接合、超音波エンボス処理による接合等、任意の手段を用いることができる。
【００３８】
なお、バックシートとして、例えば、防水処理を施した不織布、ポリエチレンやポリプロピレン等の合成樹脂フィルム、不織布と合成樹脂フィルムとの複合シート（例えばスパンボンド、スパンレース等の不織布に通気性の合成樹脂フィルムが接合された複合フィルム）、耐水性の高いメルトブローン不織布を強度の強いスパンボンド不織布で挟んだスパンボンド／メルトブローン／スパンボンド（ＳＭＳ）不織布等を用いることができる。
【００３９】
（吸収体）
吸収体７は、使い捨ておむつ１の長さ方向Ｌに沿う方向に長尺状の形状、この実施形態では矩形を有するが、図１に示すように、全体として、使い捨ておむつ１の背側よりも腹側の方に偏寄した状態で配設されている。
【００４０】
図２の平面図及び図３の横断面図に示すように、吸収体７は、幅方向Ｗにおいて、中央部Ｍとその両側の一対の両側部Ｓ、Ｓとに区画され、中央部Ｍと一対の両側部Ｓ、Ｓはいずれも長手方向Ｌに延在する区画である。
【００４１】
本実施形態において、吸収体７は、たとえば、長手方向Ｌにおいて３７０ｍｍ、また幅方向Ｗにおいて、中央部Ｍは７０ｍｍ、両側部Ｓ、Ｓはそれぞれ２５ｍｍずつの寸法を有するが、本発明に係る吸収性物品が備える吸収体の寸法は、吸収体としての性能を発揮できる限り適宜変更可能である。
【００４２】
図３に示すように、使い捨ておむつ１の吸収体７は、中央部Ｍにおいて中央部吸収コア層７１を備えるが、本実施形態では、本発明の好ましい態様として、中央部Ｍにおいてさらに補助衝撃吸収材層７７を備える。
中央部吸収コア層７１及び補助衝撃吸収材層７７は、図２に示すように、平面視にて中央部Ｍの長手方向全域に亘って存在する。
【００４３】
また、図３に示すように、断面視にて中央部Ｍは、中央部吸収コア層７１と補助衝撃吸収材層７７との２層構造となっており、中央部吸収コア層７１は、補助衝撃吸収材層７７よりも肌面側にあり、且つ、補助衝撃吸収材層７７と隣接するように配設されている。
【００４４】
また、図３に示すように、使い捨ておむつ１の吸収体７は、本実施形態において、一対の両側部Ｓ、Ｓのそれぞれにおいて、衝撃吸収材層７５と、側部吸収コア層７３とを備える。
【００４５】
衝撃吸収材層７５は、図２に示すように、平面視にて両側部Ｓ、Ｓの吸収体の長手方向の全域に亘って存在する。また、図３に示すように、断面視にて両側部Ｓ、Ｓのそれぞれは、衝撃吸収材層７５と側部吸収コア層７３との２層構造となっており、側部吸収コア層７３は、衝撃吸収材層７５よりも肌面側に、且つ、衝撃吸収材層７５と隣接するように配設されている。
【００４６】
なお、本実施形態において、幅方向Ｗにおける衝撃吸収材層７５と側部吸収コア層７３の長さは同一であるが、本発明にかかる吸収性物品が備える吸収体では、衝撃吸収層と側部吸収コア層の何れか一方が、他方よりも長くてもよい。
【００４７】
本実施形態において、吸収体７の中央部Ｍ（中央部吸収コア層７１及び補助衝撃吸収材層７７）と両側部Ｓ、Ｓ（側部吸収コア層７３及び衝撃吸収材層７５）とは、コアラップ７９によりその外周面を被覆されている。このように、中央部Ｍと両側部Ｓ、Ｓとが、一体としてコアラップ７９に包まれているので、少なくとも中央部に存在する中央部吸収コア層７１と、両側部に存在する衝撃吸収材層７５及び側部吸収コア層７３とが一つの塊として吸収要素となり、中央部と両側部との間が分断し難く、吸収性能が阻害されにくい。
【００４８】
コアラップは、液透過性及び吸収体保持性を有する限り特に限定されないが、ＳＭＳ不織布、ティッシュ等で形成されることが好ましい。
【００４９】
（中央部吸収コア層）
本実施形態において、吸収体の中央部Ｍには、吸収体の本体として中央部吸収コア層７１を有する。中央部吸収コア層の長さ、幅、及び厚みは、衝撃吸収材層を有していない従来の吸収体と基本的に同様であることができる。しかし、吸収体に衝撃吸収材層を有しているので、その分を考慮して中央部吸収コア層の幅をいくらか小さくしてもよい。また、補助衝撃吸収材層を有しているので、その分を考慮して中央部吸収コア層の厚みをいくらか小さくしてもよい。しかし、中央部吸収コア層の長さ、幅、及び厚みは、これらに限定されるものではなく、従来より大きくすることを排除するものではない。
【００５０】
本実施形態において、中央部吸収コア層７１は、液状の排泄物を吸収、保持する吸水性繊維と、吸収性ポリマーとを含んでいる。
【００５１】
吸収コア層を形成する吸水性繊維としては、親水性表面を有する繊維であれば、特に制限なく用いることができる。親水性繊維としては、たとえば、クラフトパルプ等の木材パルプや木綿パルプ、ワラパルプ等の非木材パルプ等の天然セルロース繊維；レーヨン等の再生セルロース繊維；ポリビニルアルコール繊維、ポリアクリロニトリル繊維等の親水性合成繊維；ポリエチレンテレフタレート繊維、ポリエチレン繊維、ポリプロピレン繊維、ポリエステル繊維等の合成繊維を界面活性剤により親水化処理したもの等が挙げられる。これらの親水性繊維の１種を単独で又は２種以上を混合して用いることができる。
【００５２】
また、吸収性ポリマーとしては、従来用いられている各種のものを用いることができる。例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。これらの吸収性ポリマーの１種を単独で又は２種以上を混合して用いることができる。
【００５３】
吸収性コア層における親水性繊維と吸水性ポリマーとの含有質量比は、親水性繊維：吸水性ポリマー＝１／９〜９／１が好ましく、３／７〜７／３が更に好ましい。
【００５４】
中央部吸収コア層の坪量（平均値）は、１００〜８００ｇ／ｍ２、特に２００〜６００ｇ／ｍ２であることが好ましいが、これに限定されない。中央部吸収コア層の坪量が少ないと吸水性、保水性が不十分となり、吸収コア層の坪量が多すぎても吸水性、保水性は過剰になるだけであり、コスト高になり、また剛性が高くなり装着感が劣るようになる。
【００５５】
中央部吸収コア層の密度（平均値）は、好ましくは０．０１〜０．２ｇ／ｃｍ３、更に好ましくは０．０５〜０．１５ｇ／ｃｍ３であるが、これに限定されない。排泄物を十分に保持固定するのに適している観点から好ましい。中央部吸収コア層の密度は、中央部吸収コア層の体積と質量を測定して求められるが、中央部吸収コア層は比較的に均一であるので、中央部吸収コア層の一部を切り出して、その体積と質量を測定して求めてもよい。
中央部吸収コア層の厚みは、好ましくは１〜１０ｍｍ、更に好ましくは２〜４ｍｍである。
【００５６】
なお、本明細書において、吸収体、又は吸収体を構成する部材（吸収コア層、後述する衝撃吸収材層等）の厚みの測定方法は、以下の通りとする。
厚み測定装置（株式会社大栄科学精器製作所製  ＦＳ−６０ＤＳ）を用い、標準状態（温度２３±２℃、相対湿度５０±５％）の下、測定面１８ｍｍ（直径）、測定圧２．５ｇ／ｃｍ２の条件で、該部材の異なる５つの部位を加圧し、各部位における加圧１０秒後の厚みを測定し、５つの測定値の平均値を該部材の厚みとする。
【００５７】
また、本明細書において、吸収体を構成する部材（吸収コア層、後述する衝撃吸収材層等）の密度の算出方法は、以下の通りとする。
対象部材について、上記厚みの測定方法に従って厚みを算出し、加圧した５つの異なる部位において、平面視にて２０ｍｍ×２０ｍｍの大きさのサンプルを５つ準備する。各部位について、それぞれ体積を算出する。続いて、各サンプルの質量を測定し、その体積で割り、５つの算出値の平均値を該部材の密度とする。
【００５８】
（衝撃吸収材層）
本実施形態において、吸収体の一対の両側部Ｓ，Ｓには、吸収体の中央部Ｍの吸収コア層７１と隣接して衝撃吸収材層７５を有する。
【００５９】
衝撃吸収材層７５は、７０ｍｍ以上の平均繊維長を有する長繊維と高吸収性ポリマー（ＳＡＰ）を含むウェブを含む。
【００６０】
なお、長繊維の平均繊維長は、ＪＩＳ  Ｌ  １０１５に規定のＣ法に従って測定するものとする。
【００６１】
衝撃吸収材層が、７０ｍｍ以上の平均繊維長を有する長繊維を含むウェブを含むと、その長い繊維を含むウェブは柔軟性があり、且つ、応力を吸収する能力があるため、衝撃吸収材として使用するのに適しており、衝撃吸収材層ひいては吸収体の柔軟性とフィット性とが高まり、吸収性物品の装着時の快適性が向上する。
【００６２】
ここで、本明細書において、長繊維とは、平均繊維長が７０ｍｍ以上の繊維であればよく、８０ｍｍ以上、１００ｍｍ以上であることが好ましい。連続フィラメントの束が一方向に配向したトウ、さらにはトウを開繊して得られるトウの連続フィラメントであることが好ましい。連続フィラメントは吸収体（衝撃吸収材層）の長手方向Ｌの全長にわたって存在することが好ましい。
【００６３】
衝撃吸収材層が開繊されたトウの連続フィラメントからなることにより、その長い連続フィラメントが絡んだウェブは柔軟性に優れており、且つ、応力を吸収する能力が高いため、柔軟性とフィット性とが高まり、使い捨ておむつの装着時の快適性が向上する。また、衝撃吸収材層の開繊されたトウの連続フィラメントは、応力がなくなると変形から回復する能力が高いので、衝撃を吸収する材料として優れている。また、使い捨ておむつが圧縮された状態でパッケージに包装されても、パッケージから取り出した際に衝撃吸収材層の嵩が容易且つ瞬時に回復する効果がある。また、衝撃吸収材層が開繊されたトウの連続フィラメントからなるので、衝撃吸収材層に到達した体液等の液体が、フィラメントの配向する方向（長手方向Ｌ）に沿って移動し、衝撃吸収材層７５においてより広範囲に亘って存在する高吸収性ポリマーと接触する機会が増えるので、吸収体７の液体吸収量を増加させることができる。
【００６４】
トウの連続フィラメントとは、トウ（繊維束）を構成している連続フィラメントをいう。トウの連続フィラメントとしては、親水性を有するもの、あるいは親水性を有さないものは親水性処理をしたものが好ましく、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステル及びセルロースが好ましい。
【００６５】
セルロースとしては、綿、リンター、木材パルプなど植物体由来のセルロースやバクテリアセルロースなどが使用でき、レーヨンなどの再生セルロースであってもよく、再生セルロースは紡糸された繊維であってもよい。セルロースの形状と大きさは、実質的に無限長とみなし得る連続繊維から長径が数ミリ〜数センチ（例えば、１ｍｍ〜５ｃｍ）程度のもの、粒径が数ミクロン（例えば、１〜１００μｍ）程度の微粉末状のものまで、様々な大きさから選択できる。セルロースは、叩解パルプなどのように、フィブリル化していてもよい。
【００６６】
セルロースエステルとしては、例えば、セルロースアセテート、セルロースブチレート、セルロースプロピオネートなどの有機酸エステル；セルロースアセテートプロピオネート、セルロースアセテートブチレート、セルロースアセテートフタレート、硝酸酢酸セルロースなどの混酸エステル；ポリカプロラクトングラフト化セルロースエステルなどのセルロースエステル誘導体などを用いることができる。これらのセルロースエステルは、単独で、又は二種類以上混合して使用することができる。セルロースエステルの粘度平均重合度は、例えば、５０〜９００、好ましくは２００〜８００程度である。セルロースエステルの平均置換度は、例えば、１．５〜３．０（例えば、２〜３）程度である。
【００６７】
セルロースエステルの平均重合度は、例えば１０〜１０００、好ましくは５０〜９００、さらに好ましくは２００〜８００程度とすることができ、セルロースエステルの平均置換度は、例えば１〜３程度、好ましくは１〜２．１５、さらに好ましくは１．１〜２．０程度とすることができる。セルロースエステルの平均置換度は、生分解性を高める等の観点から選択することができる。
【００６８】
セルロースエステルとしては、有機酸エステル（例えば、炭素数２〜４程度の有機酸とのエステル）、特にセルロースアセテートが好適である。セルロールアセテートは、空隙率を高くすることができ、トウが存在する領域を低密度にすることに適するためである。
このように、衝撃吸収材層７５におけるトウが存在する領域を低密度にすることにより、一時的な貯水空間が形成できるため、吸収体７の吸収速度の向上と吸収量の増大に資する。
【００６９】
また、セルロースアセテートの酢化度は、４３〜６２％程度である場合が多いが、特に３０〜５０％程度であると生分解性にも優れるため好ましい。
【００７０】
トウの連続フィラメントの繊度は、例えば、１〜１６デニール、好ましくは１〜１０デニール、さらに好ましくは２〜８デニール程度とすることができる。トウの連続フィラメントは、非捲縮繊維であってもよいが、捲縮繊維であるのが好ましい。捲縮繊維の捲縮度は、例えば、１インチ（２．５４ｃｍ）当たり５〜７５個、好ましくは１０〜５０個、さらに好ましくは１５〜５０個とすることができる。また、均一に捲縮した捲縮繊維を用いる場合が多い。捲縮繊維を用いると、嵩高で軽量な吸収材を製造することができるとともに、繊維間の絡み合いにより一体性の高いトウを容易に製造できる。トウ構成繊維の断面形状は、特に限定されず、例えば、円形、楕円形、異形（例えば、Ｙ字状、Ｘ字状、Ｉ字状、Ｒ字状など）や中空状などのいずれであってもよい。トウの連続フィラメントは、例えば、３，０００〜１，０００，０００本、好ましくは１０，０００〜１００，０００本程度の単繊維を束ねることにより形成されたトウ（繊維束）の形で使用することができる。
【００７１】
トウの連続フィラメントは、トウを原材料として、公知の方法により開繊して得ることができ、その際、必要に応じて、所望のサイズ、嵩となるように帯状に開繊することができる。トウの開繊幅は任意であり、例えば、幅１００〜２０００ｍｍ、好ましくは１５０〜１５００ｍｍ程度とすることができる。トウを開繊すると、高吸収性ポリマーの移動がより容易になるため好ましい。また、トウの開繊度合いを調整することにより、衝撃吸収材層の空隙率を調整することができる。
【００７２】
トウの開繊方法としては、例えば、トウを複数の開繊ロールに掛渡し、トウの進行にともなって次第にトウの幅を拡大して開繊する方法、トウの緊張（伸長）と弛緩（収縮）とを繰返して開繊する方法、圧縮エアーを用いて拡幅・開繊する方法などを用いることができる。
【００７３】
本実施形態において、衝撃吸収材層７５は高吸収性ポリマー（ＳＡＰ）を含む。衝撃吸収材層７５が高吸収性ポリマー（ＳＡＰ）を含むことで、衝撃吸収材層７５も吸水性を有するので、長繊維ウェブだけの場合と比べて、吸水性能を向上することができる。
【００７４】
高吸収性ポリマー（ＳＡＰ）については、中央部吸収コア層について記載したものと同様であることができる。
【００７５】
衝撃吸収材層における長繊維と吸水性ポリマーとの含有質量比は、長繊維：吸水性ポリマー＝１／９〜９／１が好ましく、３／７〜７／３が更に好ましい。
【００７６】
衝撃吸収材層における高吸収性ポリマー（ＳＡＰ）の坪量（平均値）の範囲は、５０〜２００ｇ／ｍ２であることが好ましく、より好ましくは、８０〜１５０ｇ／ｍ２である。高吸収性ポリマー（ＳＡＰ）の坪量の下限値は吸水性の観点から、上限値は長繊維ウェブの衝撃吸収性能を保持する観点から選択される。
衝撃吸収材層における高吸収性ポリマーの坪量は、製造時には容易に設定できるが、製品になった吸収体において測定する場合には、衝撃吸収材層の寸法を測定してから、衝撃吸収材層から高吸収性ポリマーだけを注意深く取出し、取り出した高吸収性ポリマーの質量を測定することで、計算できる。
【００７７】
衝撃吸収材層の密度（平均値）は、衝撃吸収材層の体積と質量を測定して求めることができるが、衝撃吸収材層は比較的均一であるから、衝撃吸収材層の一部分を切り出して、その体積と質量を測定して求めてもよい。
【００７８】
衝撃吸収材層の衝撃吸収材性の指標としては、下記の圧縮変形試験の変化率を用いることができ、衝撃吸収材層は、該圧縮変形試験に従った変化率が、１０％以上、さらには１５％以上、又は２０％以上であることが好ましい。吸収コア層に対して衝撃吸収性を有する上で適した変化率の観点から好ましい値である。なお、中央部吸収コア層の圧縮変形試験における変化率はたとえば８％程度である。
【００７９】
ここで、圧縮変形試験は以下の方法で行う。
（１）吸収体又は吸収体における対象部材（衝撃吸収材層、吸収コア層、等）について、前述の厚みの測定方法と同様、厚み測定装置（株式会社大栄科学精器製作所製  ＦＳ−６０ＤＳ）を用いて、標準状態（温度２３±２℃、相対湿度５０±５％）の下、測定面１８ｍｍ（直径）、測定圧２．５ｇ／ｃｍ２の条件で、該部材の異なる５つの部位を加圧し、各部位における加圧１０秒後の厚みを測定する。そして、５つの測定値の平均値を該部材の低荷重厚みＷＬとする。
（２）測定装置にバネを装着し、測定圧が１０ｇ／ｃｍ２となるように調整し、前記異なる５つの部位について、同様に厚みを測定する。そして、５つの測定値の平均値を該部材の高荷重厚みＷＨとする。
（３）低荷重及び高荷重のそれぞれにおける厚みの変化率を下記の計算式（１）により算出する。
（ＷＨ−ＷＬ）／ＷＬ×１００            （１）
【００８０】
衝撃吸収材層（長繊維と高吸収性ポリマーを含む）の坪量（平均値）の範囲は、１００〜４００ｇ／ｍ２、より好ましくは、１６０〜３００ｇ／ｍ２、であることが好ましい。衝撃吸収材層から高吸収性ポリマーを除いた長繊維を含むウェブの坪量（平均値）の範囲は、５０〜２００ｇ／ｍ２、より好ましくは、８０〜１５０ｇ／ｍ２であることが好ましい。これらの数値範囲の下限値は、衝撃吸収材層の衝撃吸収性能を確保する観点から、上限値は吸収性物品に適用される際に嵩高になり過ぎて装着感を損ねないようにする観点から、それぞれ決定される。
【００８１】
衝撃吸収材層の幅は、（中央部吸収コア層の幅）：（両側部の衝撃吸収材層の合計幅）の比で、３０：７０〜９０：１０であることが好ましく、５０：５０〜７０：３０であることがより好ましいが、中央部吸収コア層、衝撃吸収材層、側部吸収コア層などの構成によっても変化するので、これに限定されない。吸収体全体の吸収性能と衝撃吸収材層によるフィット性などのバランスを考慮して決められる。
【００８２】
（側部吸収コア層）
本実施形態において、吸収体の一対の両側部Ｓ，Ｓのそれぞれには、衝撃吸収材層７５の肌面側に、衝撃吸収材層７５と厚み方向で重なる側部吸収コア層７３を有する。
【００８３】
本実施形態において、側部吸収コア層７３は、中央部吸収コア層７１と同様に、液状の排泄物を吸収、保持する吸水性繊維と、吸収性ポリマーとを含んでいる。
【００８４】
側部吸収コア層７３における吸水性繊維と吸収性ポリマーについては、中央部吸収コア層７１において記載したのと同様であることができる。
【００８５】
側部吸収コア層７３の坪（平均値）量は、３０〜４００ｇ／ｍ２、特に５０〜２００ｇ／ｍ２であることが好ましいが、これに限定されない。側部吸収コア層７３の坪量が少ないと吸水性、保水性が不十分となり、側部吸収コア層の坪量が多すぎても吸水性、保水性は過剰になるだけであり、コスト高になり、また剛性が高くなり装着感が劣るようになる。
【００８６】
側部吸収コア層の密度（平均値）は、好ましくは０．０１〜０．２ｇ／ｃｍ３、更に好ましくは０．０５〜０．１５ｇ／ｃｍ３であるが、これに限定されない。排泄物を十分に保持固定するのに適している観点から好ましい。
【００８７】
側部吸収コア層７３の厚み（平均値）は、好ましくは０．５〜５ｍｍ、更に好ましくは０．５〜２ｍｍである。
【００８８】
側部吸収コア層７３の坪量は、中央部吸収コア層７１の坪量よりも少ないことが好ましい。吸収体の吸収性能は主に中央部吸収コア層７１によって担われるものであり、両側部は衝撃吸収材層が衝撃吸収性能を発揮することが重要であるから、側部吸収コア層７３は衝撃吸収材層の衝撃吸収性能を損なわない範囲で、衝撃吸収材層の吸水性能を補強し、吸収性物品のリウェットを減少させることが目的であるからである。
【００８９】
側部吸収コア層７３の坪量と中央部吸収コア層７１の坪量との差は、１０ｇ／ｍ２以上、特に３０ｇ／ｍ２以上であることが好ましいが、本発明はこれに限定されない。
【００９０】
本実施形態において、中央部吸収コア層７１と、側部吸収コア層７３とは、吸収体７の幅方向Ｗにおいて、連続的に存在している。このような構成により、着用者が使い捨ておむつ１を着用している際に、吸収体７の両側部Ｓ、Ｓから中央部Ｍに向かう応力を受けた場合、両側部Ｓ、Ｓと中央部Ｍとの境界部分が折れ起点となり、吸収体７が、境界部分に沿って変形されても、側部吸収コア層７３は、中央部吸収コア層７１と一体的な形状を保ちつつ変形し、使い捨ておむつ１の液体の横漏れや装着時のかぶれを抑制できる。
【００９１】
（補助衝撃吸収材層）
上述したように、本実施形態では、図３に示すように、吸収体の中央部Ｍは吸収コア層７３と補助衝撃吸収材層７７の２層構造であり、補助衝撃吸収材層７７は、中央部吸収コア層７１の非肌面側に設けられ、中央部吸収コア層７１に接合されている。
【００９２】
このような補助衝撃吸収材層７７が存在すると、吸収体の両側部から中央部に向かう応力を受けたとき、吸収体の両側部に存在する衝撃吸収材層だけでなく、中央部においても補助衝撃吸収材層が応力を吸収するので、補助衝撃吸収材層がない場合よりも、応力が吸収体中央部分に存在する吸収コア層に波及して生ずる吸収コア層の崩壊を抑制できる。また、補助衝撃吸収材層は、長繊維ウェブを含み、一体的な形状の保持能力に優れているので、補助衝撃吸収材層が吸収コア層に接着されていると、吸収コア層が液体を吸収して膨潤した後においても、補助衝撃吸収材層が吸収体を支持してその崩壊を抑制できるので、吸収性物品の装着感を向上させることができる。
【００９３】
補助衝撃吸収材層（高吸収性ポリマーを含まない）の密度（平均値）の範囲は、０．０１〜０．２ｇ／ｍ３、より好ましくは、０．０５〜０．１ｇ／ｍ３であることが好ましい。補助衝撃吸収材層やそれを構成するウェブの密度は、吸収コア層と比べて衝撃吸収力が適した値になるように選択される。
補助衝撃吸収材層の密度の測定は、衝撃吸収材層の密度の測定と同じ方法によって測定可能である。
【００９４】
補助衝撃吸収材層（高吸収性ポリマーを含まない）の坪量（平均値）の範囲は、５〜５０ｇ／ｍ２、より好ましくは、２０〜４０ｇ／ｍ２であることが好ましい。補助衝撃吸収材層が高吸収性ポリマーを含むとき、補助衝撃吸収材層の坪量（平均値）の範囲は、１０〜１００ｇ／ｍ２、より好ましくは、３０〜７０ｇ／ｍ２であることが好ましい。これらの数値範囲の下限値は、補助衝撃吸収材層の衝撃吸収性能を確保する観点から、上限値は吸収性物品に適用される際に嵩高になり過ぎて装着感を損ねないようにする観点から、それぞれ決定される。
【００９５】
（中央部と両側部の相対関係）
衝撃吸収材層から高吸収性ポリマーを除いた長繊維を含むウェブの坪量は、補助衝撃吸収材層（高吸収性ポリマーを含まない）の長繊維を含むウェブの坪量よりも多いことが好ましい。吸収体の吸収性能は主に中央部吸収コア層７１によって担われるものであり、両側部は衝撃吸収材層が衝撃吸収性能を発揮することが重要であるから、衝撃吸収材層は衝撃吸収性能を担うに十分な坪量とする一方、補助衝撃吸収材層は中央部吸収コア層の吸収性能を損なわない範囲で衝撃吸収材層の衝撃吸収性能を補強し、吸収体の全体としての衝撃吸収性能を向上させるものであるからである。
【００９６】
衝撃吸収材層から高吸収性ポリマーを除いた長繊維を含むウェブの坪量（平均値）と、補助衝撃吸収材層（高吸収性ポリマーを含まない）の長繊維を含むウェブの坪量の差は、２０ｇ／ｍ２以上、より好ましくは、３０ｇ／ｍ２以上であることが好ましい。また、衝撃吸収材層（長繊維と高吸収性ポリマーを含む）の坪量（平均値）と、補助衝撃吸収材層が高吸収性ポリマーを含むときの補助衝撃吸収材層との坪量の差は、５０ｇ／ｍ２以上、より好ましくは、８０ｇ／ｍ２以上であることが好ましい。これらの数値範囲は、本発明の吸収体の衝撃吸収性能と吸水性能を確保する観点から選択される。
【００９７】
限定されるわけではないが、吸収体の両側部のそれぞれの厚みが中央部の厚みよりも厚いことが好ましい。吸収体の両側部と中央部との境界部分において厚み差があると、着用者が吸収性物品を着用している際に、吸収体の両側部から中央部に向かう応力を受けた場合、当該境界部分が折れ起点となり、吸収体が、境界部分に沿って、略舟型、すなわち、着用者の排泄物等を受容するのに適する形状に変形し易いので、排泄物等が着用者の肌に接触する機会をより一層抑制できる。
【００９８】
吸収体の両側部のそれぞれの厚みと中央部の厚みとの差は、０．５ｍｍ以上、さらには１ｍｍ以上であることが好ましい。ここで、吸収体の両側部及び中央部の厚みは、前記厚みの測定方法に従って測定できる。吸収体の中央部の厚みは比較的均一であり、厚みの測定は容易であり、その平均値をもって中央部の厚みを代表させることができるが、吸収体の両側部の厚みは幅方向Ｗにおいて均一ではないので、幅方向Ｗにおいて最大の厚みを測定し、その最大厚みの長手方向の平均値をもって吸収体の両側部の厚みを代表させることが適当である。
【００９９】
限定されるわけではないが、吸収体の両側部のそれぞれ（衝撃吸収材層＋吸収コア層）の密度が中央部（吸収コア層＋補助衝撃吸収材層）の密度よりも小さいことが好ましい。吸収体の両側部が衝撃吸収性を有するためには、柔軟性を有する必要があり、中央部より密度が小さいことが望ましいからである。
【０１００】
吸収体の両側部のそれぞれの密度と中央部の密度との差は、０．０３ｇ／ｃｍ３以上、さらには０．０５ｇ／ｃｍ３以上の範囲であることが好ましい。吸収体の両側部及び中央部の密度（平均値）は、両側部及び中央部をそれぞれ一体物とみなしてそれぞれの体積及び質量から求めてもよいし、両側部の衝撃吸収材層及び吸収コア層のそれぞれの密度を求めてその加重平均によって両側部の密度（平均値）とし、中央部の吸収コア層及び補助衝撃吸収材層のそれぞれの密度を求めてその加重平均によって中央部の密度（平均値）としてもよい。
【０１０１】
図４に、吸収体７が両側部と中央部との境界部分において変形誘導されている状態を模式図として。図４に示すように、吸収体７は、使用状態において、股間部を跨いで腹側から背側に湾曲した状態にされるが、本実施形態の吸収体７は、さらに両側部Ｓ、Ｓと中央部Ｍとの間の境界部分に沿って折れて、略舟型形状を有することができる。
【０１０２】
このように、吸収体７が、使用状態で、両側部Ｓ、Ｓと中央部Ｍとの間の境界部分に沿って折れて、略舟型形状を有することにより、使い捨ておむつ１がより着用者に密着し易くなるので、フィット性が高まると共に、吸収体７の幅方向中央部Ｍが着用者の排泄物等を多量に受容するのに適する形状であるので、排泄物等が着用者の肌に接触する機会をより一層抑制でき、使い捨ておむつ１の着用感が向上する。
【０１０３】
（実施形態の変形例）
上述の実施形態においては、図３等に示すように、吸収体７は、中央部Ｍにおいて中央部吸収コア層７１と、補助衝撃吸収材層７７とを備え、断面視にて中央部Ｍは、中央部吸収コア層７１と補助衝撃吸収材層７７との２層構造となっており、中央部吸収コア層７１は、補助衝撃吸収材層７７よりも肌面側、且つ、補助衝撃吸収材層７７と隣接するように配設されている。また、吸収体７は、一対の両側部Ｓ、Ｓのそれぞれにおいて、側部吸収コア層７３と、衝撃吸収材層７５とを備え、断面視にて両側部Ｓ、Ｓのそれぞれは、側部吸収コア層７３と衝撃吸収材層７５との２層構造となっており、側部吸収コア層７３は、衝撃吸収材層７５よりも肌面側、且つ、衝撃吸収材層７５と隣接するように配設されている。しかし、本発明に係る吸収性物品が備える吸収体は、上述の実施形態に開示される構造に限定されない。
【０１０４】
例えば、吸収体は、中央部Ｍにおいて、中央部吸収コ層アと補助衝撃吸収材層との２層構造をとり、中央部吸収コア層は、補助衝撃吸収材層よりも着衣面側に且つ補助衝撃吸収材層と隣接するように配設されていてもよい。
【０１０５】
また、吸収体は、中央部Ｍにおいて、中央部吸収コア層と２層の補助衝撃吸収材層との３層構造をとり、中央部吸収コア層は、補助衝撃吸収材層よりも肌面側及び着衣面側に、且つ補助衝撃吸収材層に挟持されるように配設されていてもよい。
また、吸収体は、中央部Ｍにおいて、中央部吸収コア層のみの１層構造をとり、補助衝撃吸収材層を備えていなくてもよい。
【０１０６】
さらに、吸収体は、両側部Ｓ、Ｓのそれぞれにおいて、側部吸収コア層と衝撃吸収材層との２層構造をとり、側部吸収コア層は、衝撃吸収材層よりも着衣面側、且つ衝撃吸収材層と隣接するように配設されていてもよい。
【０１０７】
また、吸収体は、両側部Ｓ、Ｓのそれぞれにおいて、側部吸収コア層と衝撃吸収材層との３層構造をとり、側部吸収コア層は、衝撃吸収材層よりも肌面側及び着衣面側、且つ衝撃吸収材層に挟持されるように配設されていてもよい。
【０１０８】
また、吸収体は、両側部Ｓ、Ｓのそれぞれにおいて、同一の構造を有していなくてもよい。例えば、両側部Ｓ、Ｓのうち一方においては、側部吸収コア層と衝撃吸収材層との２層構造をとり、側部吸収コア層は、衝撃吸収材層よりも着衣面側、且つ衝撃吸収材層と隣接するように配設され、両側部Ｓ、Ｓのうち他方においては、側部吸収コア層と衝撃吸収材層との３層構造をとり、側部吸収コア層は、衝撃吸収材層よりも肌面側及び着衣面側、且つ衝撃吸収材層に挟持されるように配設されていてもよい。
【０１０９】
また、吸収体は、両側部Ｓ、Ｓにおいて、側部吸収コア層と衝撃吸収材層は、いずれも、それらの寸法（大きさ、厚みなど）、組成（長繊維と高吸水性ポリマーの種類や割合など）、坪量などが、両側で同一でなく、異なっていてもよい。
【０１１０】
本発明の吸収性物品は、テープ型やパンツ型の使い捨ておむつ以外に、衛生ナプキン、失禁パッドなどのその他の吸収性物品にも適用できる。
【０１１１】
（吸収性評価試験及び吸収体変形評価試験）
（Ａ）サンプル
以下の吸収体のサンプルを用いた。
いずれのサンプルも、吸収体のサイズは長手方向に３３０ｍｍ、幅方向に１１５ｍｍとした。実施例１および比較例１において、中央部の幅を４５ｍｍ、両側部のそれぞれの幅を３５ｍｍとした。
また、衝撃吸収材層は、市販のトウを開繊して連続フィラメントを製造する過程においてＳＡＰを開繊された連続フィラメント中に投入してから、そのＳＡＰを含む連続フィラメントをウェブにすることで製造した。
【０１１２】
（実施例１）
図２〜３を参照して上記において説明した実施形態の吸収体であり、中央部Ｍに吸収コア層及び補助衝撃吸収材層、両側部Ｓ、Ｓにそれぞれ吸収コア層と衝撃吸収材層とを備え、コアラップシートで覆った吸収体。
中央部吸収コア層（：パルプ１５０ｇｓｍ＋ＳＡＰ１７０ｇｓｍ
中央部補助衝撃吸収材層（：アセテートトウ（（株）ダイセル製２．４Ｙ−２４０００）を開繊した連続フィラメント３０ｇｓｍ
両側部衝撃吸収材層：アセテートトウを開繊した連続フィラメント８０ｇｓｍ＋ＳＡＰ１２０ｇｓｍ
側部吸収コア層：パルプ８０ｇｓｍ＋ＳＡＰ８０ｇｓｍ
中央部吸収コア層／補助衝撃吸収材層間：ホットメルト接着剤５ｇｓｍ（スパイラル状）
コアラップシート：ＳＭＳ不織布１０ｇｓｍ
【０１１３】
（比較例１）
実施例１と同様に、吸収体の中央部Ｍに吸収コア層及び補助衝撃吸収材層、両側部Ｓ、Ｓにそれぞれ衝撃吸収材層を備えるが、両側部Ｓ、Ｓにはいずれも吸収コア層を具備していない吸収体。
中央部吸収コア層：パルプ１５０ｇｓｍ＋ＳＡＰ１７０ｇｓｍ
補助衝撃吸収材層：アセテートトウ（（株）ダイセル製２．４Ｙ−２４０００）を開繊した連続フィラメント３０ｇｓｍ
衝撃吸収材層：アセテートトウを開繊した連続フィラメント１５０ｇｓｍ＋ＳＡＰ１７０ｇｓｍ
中央部吸収コア層／補助衝撃吸収材層間：ホットメルト接着剤５ｇｓｍ（スパイラル状）
コアラップシート：ＳＭＳ１０ｇｓｍ
【０１１４】
（比較例２）
吸収体を吸収コア層のみで構成する。吸収コア層はパルプ／ＳＡＰ＝２５０ｇｓｍ／２００ｇｓｍの坪量であった。
【０１１５】
（Ｂ）吸収性評価試験
人工尿：尿素２．０ｗｔ％、塩化ナトリウム  ０．８ｗｔ％、硫酸マグネシウム７水和物  ０．０８ｗｔ％、塩化カルシウム２水和物  ０．０３ｗｔ％、イオン交換水  ９７．０９ｗｔ％
（１）吸収時間については、各サンプルともに、人工尿を１回あたり８０ｍｌ適用し、１０分間隔で、合計３回適用し、各回における吸収時間を測定した。
（２）リウェット量については、各サンプルともに、人工尿を１回あたり８０ｍｌ適用し、１０分間隔で、合計３回適用し、各回において、人工尿が吸収された後、３．５ｋｇの錘を各サンプル上に載置し、液戻り量を測定した。
【０１１６】
（Ｃ）吸収体変形評価試験
（１）各吸収体サンプルを、人工尿を注入したバット内に広げ、５分間放置して、人口尿を吸収体全体に吸収させる。
人工尿は、（Ｂ）の吸収性評価試験で用いたものと同様の組成とする。
（２）吸収体サンプルを吸収体支持体に保持する。このとき、吸収体サンプルの幅方向を垂直方向（重力方向）として、吸収体サンプルの長手方向中央部分（股間部付近）１０ｃｍは支持体で保持することなく、その両側で支持体の間に吸収体サンプルを挟んで吸収体サンプルを保持する。この吸収体サンプルを両側で保持するとき、吸収体サンプルを締め付けないで、軽く保持する。
（３）吸収体サンプルの、吸収体支持体に支持されていない、１０ｃｍの間隔を有する部分に、上方から円柱形錘（２ｋｇ、直径６０ｍｍ、高さ１００ｍｍ）を落下させる。これにより吸収体サンプルの中央部分は垂直方向（吸収体の幅方向）に押しつぶされる。吸収体サンプルはしっかり締め付けられていないので、吸収体サンプルの中央部分の変形に追随して変形できる。
（４）錘を取り除き、吸収体サンプルの変形を手で上記（２）の状態に戻し、上記（２）及び（３）の操作を合計１０回繰り返す。
（５）１０回目に錘を落下させた後、錘を取り除き、コアラップをハサミで開いて、吸収体サンプルの幅方向における変形度合いを目視で観察し、吸収体の形状維持状態を１（良い）〜５（悪い）で評価した。
（Ｄ）試験結果
【０１１７】
【表１】
0006433421.tif 000002
【０１１８】
表１の吸収性試験結果に示すように、実施例１における吸収体は、比較例１及び２に比べて、繰り返し吸収時間が短いことがわかった。また、実施例１における吸収体は、比較例１及び２に比べて、リウェット量も少ない。これらの結果より、実施例１における吸収体は、比較例と比べて、濡れた感じが少なく、カブレ等を低減する効果があるといえる。
【０１１９】
また、表１の吸収体変形評価試験結果に示すように、実施例１における吸収体は、少なくとも比較例２と比べて、吸収体の耐変形性が高く、液体吸収後においても吸収性能を維持しやすい効果があるといえる。
【符号の説明】
【０１２０】
１    使い捨ておむつ
７    吸収体
７１    中央部吸収コア
７３    側部吸収コア
７５    衝撃吸収材層
７７    補助衝撃吸収材層
【図１】
0006433421.tif 000003
【図２】
0006433421.tif 000004
【図３】
0006433421.tif 000005
【図４】
0006433421.tif 000006